(57)【要約】【課題】  現在、宇宙は加速し、かつ膨張しているのはなぜか。泡宇宙は重なり合い、いびつな形になっているのはなぜか。宇宙の軌道にはどれくらいの数のダークマターが存在するか。泡宇宙にはどれくらいのダークマターが存在するか。宇宙が加速するために必要な軌道におけるダークマターの数はいくらか。【解決手段】    宇宙が加速し、かつ膨張しているのは、中央のブラックホールが作る遠心力により、質量のあるダークマターが遠くの軌道へ移動するためです。ダークマターの質量エネルギーは速度になり、進む方向は宇宙の拡大(膨張)方向になる。泡宇宙は重なり合い、いびつな形になっているのは、10−14m時代の引力：10−15m時代の引力：10−16m時代の引力＝1：102:104、であったためである。宇宙の初期に作られた。特願2012−219904の「請求項10」において求めた、ダークマターの数＝速度2÷1束のダークマターのエネルギー＝速度2÷(7.050×10−33J)、の式で計算する。      【選択図】図１
2014121219.tif 000002
【特許請求の範囲】
【請求項１】
加速する事と膨張する事は別の事です。
加速すると速度が速くなるだけです。進んでいる方向へ向かって速度が速くなるだけです。
加速する事と膨張する事とは無関係である。
【請求項２】
どうして加速するのか。
宇宙の原子や元素のエネルギーは、4.3％で、95.7％はダークマターのエネルギーです。
それで、速度2＝軌道エネルギー、を支配しているのは、ダークマターです。
加速する事は、軌道エネルギーが増加することです。
ダークマター1個のエネルギーは同じですから、軌道エネルギーが増加することは、ダークマターが増加することです。
【請求項３】
どうしてダークマターは宇宙の端の軌道に移動するか。
宇宙の中心にはブラックホールが存在します。そのブラックホールを中心に宇宙は回転しています。
回転は遠心力を作ります。この遠心力によって、ダークマターは質量があるので、宇宙の端の方向に移動します。
そのことによって、ダークマターは宇宙の端の軌道に移動する。
【請求項４】
どうして、宇宙は進んでいる方向に垂直の方向へ向かって膨張(拡大)するか。
ダークマターが端の方向に移動する事によって、宇宙は進んでいる方向に垂直の方向へ向かって膨張(拡大)する。
ダークマターが端の方向に移動する事によって、“横膨張”はおきる。
【請求項５】
どうして加速すると膨張するのか。
宇宙の中心のブラックホールが宇宙を回転させることにより、遠心力が生まれる。それで、ダークマターは質量があるので、遠くの方へ移動する。このことによって2つの作用を行う。
１つは、ダークマターの増加により、軌道エネルギーが大きくなり、軌道の速度は速くなる。
１つは、ダークマターが遠心力により端の方向へ移動する事によって、宇宙は進んでいる方向に垂直の方向へ向かって膨張(拡大)する。“横膨張”は遠心力により起きる。
この2つの作用により、宇宙の端は加速し膨張する。
【請求項６】
中心にブラックホールが存在する場合、どのような場合でも、回転力と遠心力は働くので、端の加速と、横に拡大する横膨張はおきる。
中心にブラックホールが存在する場合、例えば、銀河や泡宇宙や宇宙において、回転力と遠心力は働くので、ダークマターの移動によって、端の加速と、横に拡大する“横膨張”はおきる。
【請求項７】
速度の方向と“横膨張”によって、何ができるか。
速度の方向と“横膨張”によってそのスペクトルの合成による力と方向ができる。
【請求項８】
どうして現在、宇宙は加速膨張しているのか。
10−16m時代、10−15m時代は、場の引力が大きかったので、ダークマターの移動は少なかった。
しかし、10−14m時代になると、場の引力が小さくなり、ダークマターは遠心力により、遠くに移動することができる。
このことにより、10−14m時代になり、宇宙は横に(宇宙が走っている方向に垂直の方向に)広がっている。
【請求項９】
宇宙の速度がどの軌道でも同じ速度であるとすると、宇宙の軌道にはどれくらいのダークマターが存在するか。
宇宙の軌道のエネルギーは、4.827×1027JKm÷距離。
・半径107光年の軌道の場合。
軌道のエネルギーのa倍のエネルギーが速度を作っているとする。
軌道のエネルギー＝4.827×1027JKm÷距離＝4.827×1027JKm÷(107×9.46×1012Km )＝5.103×107J。
軌道のダークマターの数＝5.103×107J×a÷(8.857×10−41J×7.96×107自転)＝5.103×107×a÷(7.050×10−33J)＝5.103×107×a×1.418×1032＝7.238×1039×a(個)
・半径2×107光年の軌道の場合。
軌道のエネルギーのｂ倍のエネルギーが速度を作っているとする。
軌道のエネルギー＝4.827×1027JKm÷距離＝4.827×1027JKm÷(2×107×9.46×1012Km )＝2.552×107J。
軌道のダークマターの数＝2.552×107J×ｂ÷(8.857×10−41J×7.96×107自転)＝2.552×107J×ｂ÷(7.050×10−33J)＝2.552×107J×ｂ1.071×107J×ｃ×1.418×1032＝3.619×1039×ｂ(個)
・半径3×107光年の軌道の場合。
軌道のエネルギーのｃ倍のエネルギーが速度を作っているとする。
軌道のエネルギー＝4.827×1027JKm÷距離＝4.827×1027JKm÷(3×107×9.46×1012Km )＝1.701×107J。
軌道のダークマターの数＝1.071×107J×ｃ÷(8.857×10−41J×7.96×107自転)＝1.701×107J×ｃ÷(7.050×10−33J)＝1.701×107J×ｃ×1.418×1032＝2.412×1039×ｃ(個)
・半径4×107光年の軌道の場合。
軌道のエネルギーのｄ倍のエネルギーが速度を作っているとする。
軌道のエネルギー＝4.827×1027JKm÷距離＝4.827×1027JKm÷(4×107×9.46×1012Km )＝1.276×107J。
軌道のダークマターの数＝1.276×107J×ｄ÷(8.857×10−41J×7.96×107自転)＝1.276×107J×ｄ÷(7.050×10−33J)＝1.276×107J×ｄ×1.418×1032＝1.810×1039×ｄ(個)
・半径5×107光年の軌道の場合。
軌道のエネルギーのe倍のエネルギーが速度を作っているとする。
軌道のエネルギー＝4.827×1027JKm÷距離＝4.827×1027JKm÷(5×107×9.46×1012Km )＝1.021×107J。
・軌道のダークマターの数＝1.021×107J×e÷(8.857×10−41J×7.96×107自転)＝1.021×107J×e÷(7.050×10−33J)＝1.021×107J×e×1.418×1032＝1.448×1039×e(個)
【請求項１０】
各軌道の速度が同じである場合、a,b,c,d,eの比はいくらか。
速度2＝5.103×107J×a＝2.552×107J×ｂ＝1.701×107J×ｃ＝1.276×107J×ｄ＝1.021×107J×e
a:b:c:d:e=1:2:3:4:5
【請求項１１】
例えば、速度=(5.103×107)1/2Km=7.144×103Km、である場合、各軌道のダークマター数はいくらか。
・10７光年の軌道のダークマターの数は、7.238×1039個です。
・2×107光年の軌道のダークマターの数は、3.619×1039個×2＝7.238×1039個です。
・3×107光年の軌道のダークマターの数は、2.412×1039個×3＝7.236×1039個です。
・4×107光年の軌道のダークマターの数は、1.810×1039個×4＝7.240×1039個です。
・5×107光年の軌道のダークマターの数は、1.448×1039個×5＝7.240×1039個です。
これらの１０−１４m時代の宇宙は円錐台のような形です。
このことを表に示す。
表7
2014121219.tif 000009
【請求項１２】
宇宙の端の軌道が加速膨張をするためには、ダークマターの数はどれ位でなければならないか。
宇宙の端の軌道の半径が5×107光年であるとする。
107光年から4×107光年の間は等速で、速度がVKmであるとする。その場合、各軌道のダークマターの数は1.418×1032×V2個です。
それで、ダークマター数がこれ以上の場合、速度はVKm以上になる。
宇宙の端の軌道が加速膨張をするためには、ダークマターの数は1.418×1032×V2個以上でなければならない。
これらの宇宙の形は、現代の宇宙はラッパの口のような宇宙です。
【請求項１３】
宇宙の端の軌道の加速がV52Kmである場合、この軌道のダークマターの数はいくらか。
宇宙の端の軌道の加速がV52Kmであるから、その軌道のダークマターの数は1.418×1032×V52個です。
【請求項１４】
どうして宇宙の端の軌道が加速膨張をしているのか。
宇宙の中心のブラックホールを中心に回転している。ダークマターには質量がある。
それで、遠心力が働きダークマターは中心から遠くの方に移動する。
そのため、宇宙の大きい軌道のダークマターの数は小さい軌道のダークマターの数より多くなる。
よって、107光年の軌道のダークマターの数＜2×107光年の軌道のダークマターの数＜3×107光年の軌道のダークマターの数＜4×107光年の軌道のダークマターの数＜5×107光年の軌道のダークマターの数＜6×107光年の軌道のダークマターの数＜7×107光年の軌道のダークマターの、です。
速度は、107光年の軌道の速度＜2×107光年の軌道の速度＜3×107光年の軌道の速度＜4×107光年の軌道の速度＜5×107光年の軌道の速度＜6×107光年の軌道の速度＜7×107光年の軌道の速度、です。
107光年の軌道の速度をV1とし、2×107光年の軌道の速度をV2とし、3×107光年の軌道の速度をV3とし、4×107光年の軌道の速度をV4とし、5×107光年の軌道の速度をV5とし、6×107光年の軌道の速度をV6とし、7×107光年の軌道の速度をV7とする。
V1< V2< V3< V4< V5<
V6< V7、です。
107光年の軌道のダークマターの数は、1.418×1032×V12個です。
2×107光年の軌道のダークマターの数は、1.418×1032×V22個です。
3×107光年の軌道のダークマターの数は、1.418×1032×V32個です。
4×107光年の軌道のダークマターの数は、1.418×1032×V42個です。
5×107光年の軌道のダークマターの数は、1.418×1032×V52個です。
6×107光年の軌道のダークマターの数は、1.418×1032×V62個です。
7×107光年の軌道のダークマターの数は、1.418×1032×V72個です。
この宇宙の形は“横膨張の宇宙”です。
これからの宇宙は加速膨張宇宙になるでしょう。なぜなら、ダークマターは移動し続けるからです。
このことを表に示す。
表8
2014121219.tif 000010
【請求項１５】
泡宇宙の場合はどのようであるか。
私は、2012年6月13日に提出した、特願2012−133515、「宇宙の軌道エネルギーと泡状銀河集団の回転」に於いて、泡宇宙について次のように記した。
中心が1011太陽質量のブラックホールでできた泡状の銀河集団の軌道半径と軌道エネルギーと速度
表9
2014121219.tif 000011
中心が1010太陽質量のブラックホールでできた泡状の銀河集団の軌道半径と軌道エネルギーと速度
表10
2014121219.tif 000012
中心が109太陽質量のブラックホールでできた泡状の銀河集団の軌道半径と軌道エネルギーと速度
表11
2014121219.tif 000013
【請求項１６】
泡の中心が1011太陽質量のブラックホールの場合。
その軌道エネルギーは、1.171×1026JKm÷軌道半径、です。
10−16m時代、ジェットは半径、3.006×1017Kmに届き、その軌道にクエーサー達を作り、
10−15m時代、その軌道は、3.006×1018Kmになり、銀河達の軌道となり、
10−14m時代、その軌道は、3.006×1019Kmになり、銀河達の軌道になっている。
その銀河達の軌道のエネルギーは、3.896×106Jで、銀河達の速度は、1.974×103Kmです。
銀河達の軌道の外側の軌道においても同じ速度であるとすると、その軌道にはダークマターが存在します。
(アンドロメガ銀河の速度のように考える。)
どこまでも、速度が1.974×103Kmであるならば、軌道のダークマターの数はいくらか。
軌道のダークマターの数＝軌道のエネルギー÷7.96×107自転でできる磁気の光子のエネルギー＝V2J÷(8.857×10−41J×7.96×107自転)＝V2J÷(7.050×10−33J)＝1.418×1032×V2．この式より、
軌道のダークマターの数＝1.418×1032×(1.974×103)2＝1.418×1032×3.897×106＝5.526×1038(個)
どこまでも、速度が1.974×103Kmであるならば、軌道のダークマターの数は5.526×1038個です。
泡宇宙の端が加速膨張している場合、泡宇宙の端の軌道(銀河達の軌道)の速度がV11Kmであるとすると、ダークマターの数は、V112×1.418×1032個です。
【請求項１７】
泡の中心が1010太陽質量のブラックホールの場合。
その軌道エネルギーは、2.524×1025JKm÷軌道半径、です。
10−16m時代、ジェットは半径、1.395×1017Kmに届き、その軌道にクエーサー達を作り、
10−15m時代、その軌道は、1.395×1018Kmになり、銀河達の軌道となり、
10−14m時代、その軌道は、1.395×1019Kmになり、銀河達の軌道になっている。
その銀河達の軌道のエネルギーは、1.809×106Jで、銀河達の速度は、1.345×103Kmです。
銀河達の軌道の外側の軌道においても同じ速度であるとすると、その軌道にはダークマターが存在します。
(アンドロメガ銀河の速度のように考える。)
どこまでも、速度が1.345×103Kmであるならば、軌道のダークマターの数はいくらか。
軌道のダークマターの数＝1.418×1032×(1.345×103)2＝1.418×1032×1.809×106＝2.565×1038(個)
どこまでも、速度が1.345×103Kmであるならば、軌道のダークマターの数は2.565×1038個です。
泡宇宙の端が加速膨張している場合、泡宇宙の端の軌道(銀河達の軌道)の速度がV10Kmであるとすると、ダークマターの数は、速度2×1.418×1032個です。
【請求項１８】
泡の中心が109太陽質量のブラックホールの場合。
その軌道エネルギーは、5.438×1024JKm÷軌道半径、です。
10−16m時代、ジェットは半径、6.477×1016Kmに届き、その軌道にクエーサー達を作り、
10−15m時代、その軌道は、6.477×1017Kmになり、銀河達の軌道となり、
10−14m時代、その軌道は、6.477×1018Kmになり、銀河達の軌道になっている。
その銀河達の軌道のエネルギーは、8.396×105Jで、銀河達の速度は、9.163×102Kmです。
銀河達の軌道の外側の軌道においても同じ速度であるとすると、その軌道にはダークマターが存在します。
(アンドロメガ銀河の速度のように考える。)
どこまでも、速度が9.163×102Kmであるならば、軌道のダークマターの数はいくらか。
軌道のダークマターの数＝1.418×1032×(9.163×102)2＝1.418×1032×8.396×105＝1.191×1038(個)
どこまでも、速度が9.163×102Kmであるならば、軌道のダークマターの数は1.191×1038個です。
泡宇宙の端が加速膨張している場合、泡宇宙の端の軌道(銀河達の軌道)の速度がV9Kmであるとすると、ダークマターの数は、V92×1.418×1032個です。
このことを表に示す。
表12
2014121219.tif 000014
【請求項１９】
泡状に存在している銀河達(泡宇宙)が重なり合い、いびつな形をしているのは、どうしてか。
泡状に存在している銀河達(泡宇宙)が重なり合い、いびつな形をしているのは、引力によると考える
銀河達が作る磁気の光子のエネルギーと離れている距離が作る引力によると考える。
時代の場の磁気の光子のエネルギーと距離が作る引力によると考える。
10−16m時代の磁気の光子のエネルギー：10−15m時代の磁気の光子のエネルギー：10−14m時代の磁気の光子のエネルギー＝102：10：１
10−16m時代の距離：10−1５m時代の距離：10−1４m時代の距離＝1：10：102
よって、10−16m時代の引力：10−1５m時代の引力：10−1４m時代の引力＝104：102：1
泡状に存在している銀河達(泡宇宙)が重なり合い、いびつな形をしているのは、10−16m時代の引力：10−1５m時代の引力：10−1４m時代の引力＝104：102：1、であるから、過去においてできたものである。
【発明の詳細な説明】
【技術分野】
【０００１】
本発明は、ダークマターに関するものである。詳しくは、宇宙の軌道エネルギーと軌道半径と速度とダークマターのエネルギーとダークマターの数に関するものである。
【背景技術】
【０００２】
私は、2012年10月1日に「ダークマター」を提出し、10月15日に「ダークマター2」を提出し、10月20日に「ダークマター3」を提出した。ここに記されている事はダークマターについての考えであり、背景技術である。このことを基に更にダークマターを考える。
【先行技術文献】
【非特許文献】
【０００３】
【特許文献１】特願２０１２−１２１４３１
【特許文献２】特願２０１２−１３３５１５
【特許文献３】特願２０１２−２１９９０４
【特許文献４】特願２０１２−２２７７６７
【特許文献５】特願２０１２−２３２４４８
【発明の概要】
【発明が解決しようとする課題】
【０００４】
現在、宇宙は加速し、かつ膨張しているのはなぜか。泡宇宙は重なり合い、いびつな形になっているのはなぜか。
宇宙の軌道にはどれくらいの数のダークマターが存在するか。泡宇宙にはどれくらいのダークマターが存在するか。宇宙が加速するために必要な軌道におけるダークマターの数はいくらか。
【課題を解決するための手段】
【０００５】
現在、宇宙は加速しているのは、宇宙の中心のブラックホールが作る回転により、遠心力が働き、重さのあるダークマターが外側の軌道に、移動するからである。
そのうえ、横に(ビッグバンから進んできている方向に垂直の方向に)膨張しているのは、ダークマターが中心のブラックホールの回転の遠心力により、遠くの軌道に移動するためです。
ダークマターが遠くの軌道に移動することを、“宇宙の進行方向に垂直な方向への膨張”と名付ける。簡単に宇宙の“横膨張”と名付ける。
泡宇宙は重なり合い、いびつな形になっているのは、強力な引力のためです。
10−14m時代の引力：10−15m時代の引力：10−16m時代の引力＝1：１0２：１0４であり、泡宇宙は重なり合い、いびつな形になった。
泡宇宙の重なり合い、いびつな形は宇宙の初期に造形された。
現代(100億年代)、ダークマターのA(Aは、地表のエネルギーを1とし、何倍のエネルギーであるかを示す)は−16.523で、ダークマターの自転軌道は6.898×10−17mで、ダークマターが1自転で作る磁気の光子1個のエネルギーは8.857×10−41Jで、ダークマターが7.96
×107回の自転で作る磁気の光子のエネルギーは7.050×10−33Jで、これが1束になっていると考える。ダークマターが1秒間に作る磁気の光子のエネルギーは4.468×10−17Jです。
宇宙の公転軌道エネルギーは、4.827×1027JKm÷距離、です。
泡宇宙を作った中心が1011太陽質量のブラックホールが作る軌道エネルギーの式は、1.171×1026JKm÷軌道半径、です。泡宇宙を作った中心が1010太陽質量のブラックホールが作る軌道エネルギーの式は、2.524×1025JKm÷軌道半径、です。泡宇宙を作った中心が109太陽質量のブラックホールが作る軌道エネルギーの式は、5.438×1024JKm÷軌道半径、です。
銀河達の軌道より外側の軌道の速度はどこまでも同じ速度であるとすると、外側の軌道には、その速度を作るエネルギーが存在し、エネルギーを作るダークマターが存在する。
特願2012−219904の「請求項10」において、アンドロメダ銀河の速度で求めた、ダークマターの数＝速度2÷1束のダークマターのエネルギー＝速度2÷(7.050×10−33J)＝速度2×1.418×1032(個)、の式で計算する。
【発明の効果】
【０００６】
次の事が理解できた。
１．現在、宇宙は加速膨張していることについて理解できた。
10−14m時代、宇宙の引力は弱まった。ダークマターは宇宙の中心のブラックホールが作る回転でできる遠心力により、端の軌道の方へ移動した。そのため、端の軌道のダークマターの軌道のエネルギーは大きくなり速度は加速した。また、ダークマターが端の軌道の方向へ移動することによって、宇宙は拡大した。宇宙が進んでいる方向に垂直の方向に膨張(拡大)した。
宇宙の進行方向へ進んだ距離とその垂直方向へ進んだ距離のスペクトルが加速膨張になる。
２．各軌道の速度が同じ速度、7.144×103Kmであるとすると、各軌道のダークマターの数は、7.238×1039個です。
３．軌道の速度は一定で、VKmであるとすると、各軌道のダークマターの数は、1.418×1032×V2個です。5×107Kmの軌道で加速膨張するならば、5×107Kmの軌道のダークマターの数は、1.418×1032×V2個以上です。
４．軌道の速度が次第に大きくなる場合、107Kmの軌道の速度がV1Kmの場合、その軌道のダークマターの数は、1.418×1032×V12個です。2×107Kmの軌道の速度がV２Kmの場合、その軌道のダークマターの数は、1.418×1032×V22個です。3×107Kmの軌道の速度がV3Kmの場合、その軌道のダークマターの数は、1.418×1032×V32個です。4×107Kmの軌道の速度がV4Kmの場合、その軌道のダークマターの数は、1.418×1032×V42個です。5×107Kmの軌道の速度がV5Kmの場合、その軌道のダークマターの数は、1.418×1032×V52個です。6×107Kmの軌道の速度がV6Kmの場合、その軌道のダークマターの数は、1.418×1032×V62個です。7×107Kmの軌道の速度がV7Kmの場合、その軌道のダークマターの数は、1.418×1032×V72個です。
これからの宇宙は加速膨張宇宙になるでしょう。なぜなら、ダークマターは移動し続けるからです。
５．中心が1011太陽質量のブラックホールが作る泡宇宙の軌道エネルギーの式は、1.171×1026JKm÷軌道半径、です。
10−14m時代、銀河達の軌道は、3.006×1019Km(3.178×106光年)です。この銀河達の軌道の速度は、1.974×103Kmです。
この銀河達の軌道より外側の軌道においても、同じ速度であるとすると、外側の軌道には、5.526×1038個のダークマターが存在する。
６．中心が1010太陽質量のブラックホールが作る泡宇宙の軌道エネルギーの式は、2.524×1025JKm÷軌道半径、です。
10−14m時代、銀河達の軌道は、1.395×1019Km(1.475×106光年)です。この銀河達の軌道の速度は、1.345×103Kmです。
この銀河達の軌道より外側の軌道においても、同じ速度であるとすると、外側の軌道には、2.565×1038個のダークマターが存在する。
７．中心が109太陽質量のブラックホールが作る軌道エネルギーの式は、5.438×1024JKm÷軌道半径、です。
10−14m時代、銀河達の軌道は、6.477×1018Km(6.847×105光年)です。この銀河達の軌道の速度は、9.163×102Kmです。
この銀河達の軌道より外側の軌道においても、同じ速度であるとすると、外側の軌道には、1.191×1038個のダークマターが存在する。
【図面の簡単な説明】
【０００７】
【図１】図1宇宙の中心のブラックホールにより宇宙は回転し、遠心力を作る。ダークマターは質量があるので、遠心力により遠くに移動する。そのため宇宙の端の軌道は拡大する。宇宙の端の軌道にはダークマターがたくさん集まり、軌道エネルギーは大きくなり、速度は加速する。
【図２】図2は、宇宙の加速の方向とダークマターの移動の方向のスペクトルの合成図。
【図３】図3は、中央のブラックホールが作る、軌道エネルギー＝4.827×1027JKm÷軌道半径、の式で計算した、軌道の速度。軌道半径107Kmの速度は7.144×103Km、軌道半径2×107Kmの速度は5.052×103Km、軌道半径3×107Kmの速度は4.124×103Km、軌道半径4×107Kmの速度は3.572×103Km、軌道半径5×107Kmの速度は1.010×103Kmです。これらの軌道の速度が同じ速度で、7.144×103Kmであるとすると、各軌道のダークマターの数は、7.238×1039個です。
【図４】図4は、軌道エネルギー＝4.827×1027JKm÷軌道半径、の式で計算した軌道の速度と、軌道の速度は一定で、VKmであるとすると、各軌道のダークマターの数は、1.418×1032×V2個です。5×107Kmの軌道で加速膨張するならば、5×107Kmの軌道のダークマターの数は、1.418×1032×V2個以上です。
【図５】図5は、軌道の速度が次第に大きくなる場合、107Kmの軌道の速度がV1Kmの場合、その軌道のダークマターの数は、1.418×1032×V12個です。2×107Kmの軌道の速度がV２Kmの場合、その軌道のダークマターの数は、1.418×1032×V22個です。3×107Kmの軌道の速度がV3Kmの場合、その軌道のダークマターの数は、1.418×1032×V32個です。4×107Kmの軌道の速度がV4Kmの場合、その軌道のダークマターの数は、1.418×1032×V42個です。5×107Kmの軌道の速度がV5Kmの場合、その軌道のダークマターの数は、1.418×1032×V52個です。6×107Kmの軌道の速度がV6Kmの場合、その軌道のダークマターの数は、1.418×1032×V62個です。7×107Kmの軌道の速度がV7Kmの場合、その軌道のダークマターの数は、1.418×1032×V72個ですこれからの宇宙は加速膨張宇宙になるでしょう。なぜなら、ダークマターは移動し続けるからです。
【発明を実施するための形態】
【０００８】
１．    加速する事と膨張する事は別の事です。
加速すると速度が速くなるだけです。進んでいる方向へ向かって速度が速くなるだけです。
加速する事と膨張する事とは無関係である。
２．    どうして加速するのか。
宇宙の原子や元素のエネルギーは、4.3％で、95.7％はダークマターのエネルギーです。
それで、速度2＝軌道エネルギー、を支配しているのは、ダークマターです。
加速する事は、軌道エネルギーが増加することです。
ダークマター1個のエネルギーは同じですから、軌道エネルギーが増加することは、ダークマターが増加することです。
３．    どうしてダークマターは宇宙の端の軌道に移動するか。
宇宙の中心にはブラックホールが存在します。そのブラックホールを中心に宇宙は回転しています。
回転は遠心力を作ります。この遠心力によって、ダークマターは質量があるので、宇宙の端の方向に移動します。
そのことによって、ダークマターは宇宙の端の軌道に移動する。
４．    どうして、宇宙は進んでいる方向に垂直の方向へ向かって膨張(拡大)するか。
ダークマターが端の方向に移動する事によって、宇宙は進んでいる方向に垂直の方向へ向かって膨張(拡大)する。
ダークマターが端の方向に移動する事によって、“横膨張”はおきる。
５．    どうして加速すると膨張するのか。
宇宙の中心のブラックホールが宇宙を回転させることにより、遠心力が生まれる。それで、ダークマターは質量があるので、遠くの方へ移動する。このことによって2つの作用を行う。
１つは、ダークマターの増加により、軌道エネルギーが大きくなり、軌道の速度は速くなる。
１つは、ダークマターが遠心力により端の方向へ移動する事によって、宇宙は進んでいる方向に垂直の方向へ向かって膨張(拡大)する。“横膨張”は遠心力により起きる。
この2つの作用により、宇宙の端は加速し膨張する。
６．    中心にブラックホールが存在する場合、どのような場合でも、回転力と遠心力は働くので、端の加速と、横に拡大する横膨張はおきる。
中心にブラックホールが存在する場合、例えば、銀河や泡宇宙や宇宙において、回転力と遠心力は働くので、ダークマターの移動によって、端の加速と、横に拡大する“横膨張”はおきる。
７．    速度の方向と“横膨張”によって、何ができるか。
速度の方向と“横膨張”によってそのスペクトルの合成による力と方向ができる。
８．    どうして現在、宇宙は加速膨張しているのか。
10−16m時代、10−15m時代は、場の引力が大きかったので、ダークマターの移動は少なかった。
しかし、10−14m時代になると、場の引力が小さくなり、ダークマターは遠心力により、遠くに移動することができる。
このことにより、10−14m時代になり、宇宙は横に(宇宙が走っている方向に垂直の方向に)広がっている。
９．    宇宙の速度がどの軌道でも同じ速度であるとすると、宇宙の軌道にはどれくらいのダークマターが存在するか。
宇宙の軌道のエネルギーは、4.827×1027JKm÷距離。
・半径107光年の軌道の場合。
軌道のエネルギーのa倍のエネルギーが速度を作っているとする。
軌道のエネルギー＝4.827×1027JKm÷距離＝4.827×1027JKm÷(107×9.46×1012Km )＝5.103×107J。
軌道のダークマターの数＝5.103×107J×a÷(8.857×10−41J×7.96×107自転)＝5.103×107×a÷(7.050×10−33J)＝5.103×107×a×1.418×1032＝7.238×1039×a(個)
・半径2×107光年の軌道の場合。
軌道のエネルギーのｂ倍のエネルギーが速度を作っているとする。
軌道のエネルギー＝4.827×1027JKm÷距離＝4.827×1027JKm÷(2×107×9.46×1012Km )＝2.552×107J。
軌道のダークマターの数＝2.552×107J×ｂ÷(8.857×10−41J×7.96×107自転)＝2.552×107J×ｂ÷(7.050×10−33J)＝2.552×107J×ｂ1.071×107J×ｃ×1.418×1032＝3.619×1039×ｂ(個)
・半径3×107光年の軌道の場合。
軌道のエネルギーのｃ倍のエネルギーが速度を作っているとする。
軌道のエネルギー＝4.827×1027JKm÷距離＝4.827×1027JKm÷(3×107×9.46×1012Km )＝1.701×107J。
軌道のダークマターの数＝1.071×107J×ｃ÷(8.857×10−41J×7.96×107自転)＝1.701×107J×ｃ÷(7.050×10−33J)＝1.701×107J×ｃ×1.418×1032＝2.412×1039×ｃ(個)
・半径4×107光年の軌道の場合。
軌道のエネルギーのｄ倍のエネルギーが速度を作っているとする。
軌道のエネルギー＝4.827×1027JKm÷距離＝4.827×1027JKm÷(4×107×9.46×1012Km )＝1.276×107J。
軌道のダークマターの数＝1.276×107J×ｄ÷(8.857×10−41J×7.96×107自転)＝1.276×107J×ｄ÷(7.050×10−33J)＝1.276×107J×ｄ×1.418×1032＝1.810×1039×ｄ(個)
・半径5×107光年の軌道の場合。
軌道のエネルギーのe倍のエネルギーが速度を作っているとする。
軌道のエネルギー＝4.827×1027JKm÷距離＝4.827×1027JKm÷(5×107×9.46×1012Km )＝1.021×107J。
・軌道のダークマターの数＝1.021×107J×e÷(8.857×10−41J×7.96×107自転)＝1.021×107J×e÷(7.050×10−33J)＝1.021×107J×e×1.418×1032＝1.448×1039×e(個)
１０．    各軌道の速度が同じである場合、a,b,c,d,eの比はいくらか。
速度2＝5.103×107J×a＝2.552×107J×ｂ＝1.701×107J×ｃ＝1.276×107J×ｄ＝1.021×107J×e
a:b:c:d:e=1:2:3:4:5
１１．    例えば、速度=(5.103×107)1/2Km=7.144×103Km、である場合、各軌道のダークマター数はいくらか。
・10７光年の軌道のダークマターの数は、7.238×1039個です。
・2×107光年の軌道のダークマターの数は、3.619×1039個×2＝7.238×1039個です。
・3×107光年の軌道のダークマターの数は、2.412×1039個×3＝7.236×1039個です。
・4×107光年の軌道のダークマターの数は、1.810×1039個×4＝7.240×1039個です。
・5×107光年の軌道のダークマターの数は、1.448×1039個×5＝7.240×1039個です。
これらの１０−１４m時代の宇宙は円錐台のような形です。
このことを表に示す。
表1
2014121219.tif 000003
１２．    宇宙の端の軌道が加速膨張をするためには、ダークマターの数はどれ位でなければならないか。
宇宙の端の軌道の半径が5×107光年であるとする。
107光年から4×107光年の間は等速で、速度がVKmであるとする。その場合、各軌道のダークマターの数は1.418×1032×V2個です。
それで、ダークマター数がこれ以上の場合、速度はVKm以上になる。
宇宙の端の軌道が加速膨張をするためには、ダークマターの数は1.418×1032×V2個以上でなければならない。
これらの宇宙の形は、現代の宇宙はラッパの口のような宇宙です。
１３．    宇宙の端の軌道の加速がV52Kmである場合、この軌道のダークマターの数はいくらか。
宇宙の端の軌道の加速がV52Kmであるから、その軌道のダークマターの数は1.418×1032×V52個です。
１４．    どうして宇宙の端の軌道が加速膨張をしているのか。
宇宙の中心のブラックホールを中心に回転している。ダークマターには質量がある。
それで、遠心力が働きダークマターは中心から遠くの方に移動する。
そのため、宇宙の大きい軌道のダークマターの数は小さい軌道のダークマターの数より多くなる。
よって、107光年の軌道のダークマターの数＜2×107光年の軌道のダークマターの数＜3×107光年の軌道のダークマターの数＜4×107光年の軌道のダークマターの数＜5×107光年の軌道のダークマターの数＜6×107光年の軌道のダークマターの数＜7×107光年の軌道のダークマターの、です。
速度は、107光年の軌道の速度＜2×107光年の軌道の速度＜3×107光年の軌道の速度＜4×107光年の軌道の速度＜5×107光年の軌道の速度＜6×107光年の軌道の速度＜7×107光年の軌道の速度、です。
107光年の軌道の速度をV1とし、2×107光年の軌道の速度をV2とし、3×107光年の軌道の速度をV3とし、4×107光年の軌道の速度をV4とし、5×107光年の軌道の速度をV5とし、6×107光年の軌道の速度をV6とし、7×107光年の軌道の速度をV7とする。
V1< V2< V3< V4< V5<
V6< V7、です。
107光年の軌道のダークマターの数は、1.418×1032×V12個です。
2×107光年の軌道のダークマターの数は、1.418×1032×V22個です。
3×107光年の軌道のダークマターの数は、1.418×1032×V32個です。
4×107光年の軌道のダークマターの数は、1.418×1032×V42個です。
5×107光年の軌道のダークマターの数は、1.418×1032×V52個です。
6×107光年の軌道のダークマターの数は、1.418×1032×V62個です。
7×107光年の軌道のダークマターの数は、1.418×1032×V72個です。
この宇宙の形は“横膨張の宇宙”です。
これからの宇宙は加速膨張宇宙になるでしょう。なぜなら、ダークマターは移動し続けるからです。
このことを表に示す。
表2
2014121219.tif 000004
１５．    泡宇宙の場合はどのようであるか。
私は、2012年6月13日に提出した、特願2012−133515、「宇宙の軌道エネルギーと泡状銀河集団の回転」に於いて、泡宇宙について次のように記した。
中心が1011太陽質量のブラックホールでできた泡状の銀河集団の軌道半径と軌道エネルギーと速度
表3
2014121219.tif 000005
中心が1010太陽質量のブラックホールでできた泡状の銀河集団の軌道半径と軌道エネルギーと速度
表4
2014121219.tif 000006
中心が109太陽質量のブラックホールでできた泡状の銀河集団の軌道半径と軌道エネルギーと速度
表５
2014121219.tif 000007
１６．    泡の中心が1011太陽質量のブラックホールの場合。
その軌道エネルギーは、1.171×1026JKm÷軌道半径、です。
10−16m時代、ジェットは半径、3.006×1017Kmに届き、その軌道にクエーサー達を作り、
10−15m時代、その軌道は、3.006×1018Kmになり、銀河達の軌道となり、
10−14m時代、その軌道は、3.006×1019Kmになり、銀河達の軌道になっている。
その銀河達の軌道のエネルギーは、3.896×106Jで、銀河達の速度は、1.974×103Kmです。
銀河達の軌道の外側の軌道においても同じ速度であるとすると、その軌道にはダークマターが存在します。
(アンドロメガ銀河の速度のように考える。)
どこまでも、速度が1.974×103Kmであるならば、軌道のダークマターの数はいくらか。
軌道のダークマターの数＝軌道のエネルギー÷7.96×107自転でできる磁気の光子のエネルギー＝V2J÷(8.857×10−41J×7.96×107自転)＝V2J÷(7.050×10−33J)＝1.418×1032×V2．この式より、
軌道のダークマターの数＝1.418×1032×(1.974×103)2＝1.418×1032×3.897×106＝5.526×1038(個)
どこまでも、速度が1.974×103Kmであるならば、軌道のダークマターの数は5.526×1038個です。
泡宇宙の端が加速膨張している場合、泡宇宙の端の軌道(銀河達の軌道)の速度がV11Kmであるとすると、ダークマターの数は、V112×1.418×1032個です。
１７．    泡の中心が1010太陽質量のブラックホールの場合。
その軌道エネルギーは、2.524×1025JKm÷軌道半径、です。
10−16m時代、ジェットは半径、1.395×1017Kmに届き、その軌道にクエーサー達を作り、
10−15m時代、その軌道は、1.395×1018Kmになり、銀河達の軌道となり、
10−14m時代、その軌道は、1.395×1019Kmになり、銀河達の軌道になっている。
その銀河達の軌道のエネルギーは、1.809×106Jで、銀河達の速度は、1.345×103Kmです。
銀河達の軌道の外側の軌道においても同じ速度であるとすると、その軌道にはダークマターが存在します。
(アンドロメガ銀河の速度のように考える。)
どこまでも、速度が1.345×103Kmであるならば、軌道のダークマターの数はいくらか。
軌道のダークマターの数＝1.418×1032×(1.345×103)2＝1.418×1032×1.809×106＝2.565×1038(個)
どこまでも、速度が1.345×103Kmであるならば、軌道のダークマターの数は2.565×1038個です。
泡宇宙の端が加速膨張している場合、泡宇宙の端の軌道(銀河達の軌道)の速度がV10Kmであるとすると、ダークマターの数は、速度2×1.418×1032個です。
１８．    泡の中心が109太陽質量のブラックホールの場合。
その軌道エネルギーは、5.438×1024JKm÷軌道半径、です。
10−16m時代、ジェットは半径、6.477×1016Kmに届き、その軌道にクエーサー達を作り、
10−15m時代、その軌道は、6.477×1017Kmになり、銀河達の軌道となり、
10−14m時代、その軌道は、6.477×1018Kmになり、銀河達の軌道になっている。
その銀河達の軌道のエネルギーは、8.396×105Jで、銀河達の速度は、9.163×102Kmです。
銀河達の軌道の外側の軌道においても同じ速度であるとすると、その軌道にはダークマターが存在します。
(アンドロメガ銀河の速度のように考える。)
どこまでも、速度が9.163×102Kmであるならば、軌道のダークマターの数はいくらか。
軌道のダークマターの数＝1.418×1032×(9.163×102)2＝1.418×1032×8.396×105＝1.191×1038(個)
どこまでも、速度が9.163×102Kmであるならば、軌道のダークマターの数は1.191×1038個です。
泡宇宙の端が加速膨張している場合、泡宇宙の端の軌道(銀河達の軌道)の速度がV9Kmであるとすると、ダークマターの数は、V92×1.418×1032個です。
このことを表に示す。
表6
2014121219.tif 000008
１９．    泡状に存在している銀河達(泡宇宙)が重なり合い、いびつな形をしているのは、どうしてか。
泡状に存在している銀河達(泡宇宙)が重なり合い、いびつな形をしているのは、引力によると考える
銀河達が作る磁気の光子のエネルギーと離れている距離が作る引力によると考える。
時代の場の磁気の光子のエネルギーと距離が作る引力によると考える。
10−16m時代の磁気の光子のエネルギー：10−15m時代の磁気の光子のエネルギー：10−14m時代の磁気の光子のエネルギー＝102：10：１
10−16m時代の距離：10−1５m時代の距離：10−1４m時代の距離＝1：10：102
よって、10−16m時代の引力：10−1５m時代の引力：10−1４m時代の引力＝104：102：1
泡状に存在している銀河達(泡宇宙)が重なり合い、いびつな形をしているのは、10−16m時代の引力：10−1５m時代の引力：10−1４m時代の引力＝104：102：1、であるから、過去においてできたものである。
【産業上の利用可能性】
【０００９】
ダークマターの性質を知ることにより、ダークマターの利用法を開発できるかもしれない。
【符号の説明】
【００１０】
1  宇宙の中心のブラックホール
2  遠心力
3  ダークマター
4  宇宙の端の軌道は拡大する
5  ダークマターがたくさん集まり、軌道エネルギーは大きくなり、速度は加速する
6  加速の方向
7  ダークマターの移動の方向
8  速度の方向と拡大の方向の合成図
9  軌道エネルギー＝4.827×1027JKm÷軌道半径、の式で計算した、軌道の速度
10  軌道半径107Kmの速度は7.144×103Km    
11  軌道半径2×107Kmの速度は5.052×103Km    
12  軌道半径3×107Kmの速度は4.124×103Km    
13  軌道半径4×107Kmの速度は3.572×103Km    
14  軌道半径5×107Kmの速度は1.010×103Km    
15  全ての軌道の速度が7.144×103Kmの場合
16  各軌道のダークマターの数は、7.238×1039個    
17  軌道の速度は一定で、VKmの場合
18  各軌道のダークマターの数は、1.418×1032×V2個    
19  5×107Kmの軌道で加速するならば、5×107Kmの軌道のダークマターの数は、1.418×1032×V2個以上
20  軌道の速度が次第に大きくなる場合    
21  107Kmの軌道の速度がV1Kmの場合、その軌道のダークマターの数は、1.418×1032×V12個
22  2×107Kmの軌道の速度がV２Kmの場合、その軌道のダークマターの数は、1.418×1032×V22個  
23  3×107Kmの軌道の速度がV3Kmの場合、その軌道のダークマターの数は、1.418×1032×V32個    
24  4×107Kmの軌道の速度がV4Kmの場合、その軌道のダークマターの数は、1.418×1032×V42個    
25  5×107Kmの軌道の速度がV5Kmの場合、その軌道のダークマターの数は、1.418×1032×V52個  
26  6×107Kmの軌道の速度がV6Kmの場合、その軌道のダークマターの数は、1.418×1032×V62個
27  7×107Kmの軌道の速度がV7Kmの場合、その軌道のダークマターの数は、1.418×1032×V72個    
28 
10-14m時代の一部で、点線は未来を示す。
【図１】
2014121219.tif 000015
【図２】
2014121219.tif 000016
【図３】
2014121219.tif 000017
【図４】
2014121219.tif 000018
【図５】
2014121219.tif 000019
【手続補正書】
【提出日】平成25年4月6日(2013.4.6)
【手続補正１】
【補正対象書類名】明細書
【補正対象項目名】全文
【補正方法】変更
【補正の内容】
【発明の詳細な説明】
【技術分野】
【０００１】
本発明は、ダークマターに関するものである。詳しくは、宇宙の軌道エネルギーと軌道半径と速度とダークマターのエネルギーとダークマターの数に関するものである。
【背景技術】
【０００２】
私は、2012年10月1日に「ダークマター」を提出し、10月15日に「ダークマター2」を提出し、10月20日に「ダークマター3」を提出した。ここに記されている事はダークマターについての考えであり、背景技術である。このことを基に更にダークマターを考える。
【先行技術文献】
【非特許文献】
【０００３】
【特許文献１】特願２０１２−１２１４３１
【特許文献２】特願２０１２−１３３５１５
【特許文献３】特願２０１２−２１９９０４
【特許文献４】特願２０１２−２２７７６７
【特許文献５】特願２０１２−２３２４４８
【発明の概要】
【発明が解決しようとする課題】
【０００４】
現在、宇宙は加速し、かつ膨張しているのはなぜか。泡宇宙は重なり合い、いびつな形になっているのはなぜか。
宇宙の軌道にはどれくらいの数のダークマターが存在するか。泡宇宙にはどれくらいのダークマターが存在するか。宇宙が加速するために必要な軌道におけるダークマターの数はいくらか。
【課題を解決するための手段】
【０００５】
現在、宇宙は加速しているのは、宇宙の中心のブラックホールが作る回転により、遠心力が働き、重さのあるダークマターが外側の軌道に、移動するからである。
そのうえ、横に(ビッグバンから進んできている方向に垂直の方向に)膨張しているのは、ダークマターが中心のブラックホールの回転の遠心力により、遠くの軌道に移動するためです。
ダークマターが遠くの軌道に移動することを、“宇宙の進行方向に垂直な方向への膨張”と名付ける。簡単に宇宙の“横膨張”と名付ける。
泡宇宙は重なり合い、いびつな形になっているのは、強力な引力のためです。
10−14m時代の引力：10−15m時代の引力：10−16m時代の引力＝1：１0２：１0４であり、泡宇宙は重なり合い、いびつな形になった。
泡宇宙の重なり合い、いびつな形は宇宙の初期に造形された。
現代(100億年代)、ダークマターのA(Aは、地表のエネルギーを1とし、何倍のエネルギーであるかを示す)は−16.523で、ダークマターの自転軌道は6.898×10−17mで、ダークマターが1自転で作る磁気の光子1個のエネルギーは8.857×10−41Jで、ダークマターが7.96
×107回の自転で作る磁気の光子のエネルギーは7.050×10−33Jで、これが1束になっていると考える。ダークマターが1秒間に作る磁気の光子のエネルギーは4.468×10−17Jです。
宇宙の公転軌道エネルギーは、4.827×1027JKm÷距離、です。
泡宇宙を作った中心が1011太陽質量のブラックホールが作る軌道エネルギーの式は、1.171×1026JKm÷軌道半径、です。泡宇宙を作った中心が1010太陽質量のブラックホールが作る軌道エネルギーの式は、2.524×1025JKm÷軌道半径、です。泡宇宙を作った中心が109太陽質量のブラックホールが作る軌道エネルギーの式は、5.438×1024JKm÷軌道半径、です。
銀河達の軌道より外側の軌道の速度はどこまでも同じ速度であるとすると、外側の軌道には、その速度を作るエネルギーが存在し、エネルギーを作るダークマターが存在する。
特願2012−219904の「請求項10」において、アンドロメダ銀河の速度で求めた、ダークマターの数＝速度2÷1束のダークマターのエネルギー＝速度2÷(7.050×10−33J)＝速度2×1.418×1032(個)、の式で計算する。
【発明の効果】
【０００６】
次の事が理解できた。
１．現在、宇宙は加速膨張していることについて理解できた。
10−14m時代、宇宙の引力は弱まった。ダークマターは宇宙の中心のブラックホールが作る回転でできる遠心力により、端の軌道の方へ移動した。そのため、端の軌道のダークマターの軌道のエネルギーは大きくなり速度は加速した。また、ダークマターが端の軌道の方向へ移動することによって、宇宙は拡大した。宇宙が進んでいる方向に垂直の方向に膨張(拡大)した。
宇宙の進行方向へ進んだ距離とその垂直方向へ進んだ距離のスペクトルが加速膨張になる。
２．各軌道の速度が同じ速度、7.144×103Kmであるとすると、各軌道のダークマターの数は、7.238×1039個です。
３．軌道の速度は一定で、VKmであるとすると、各軌道のダークマターの数は、1.418×1032×V2個です。5×107光年の軌道で加速膨張するならば、5×107光年の軌道のダークマターの数は、1.418×1032×V2個以上です。
４．軌道の速度が次第に大きくなる場合、107光年の軌道の速度がV1Kmの場合、その軌道のダークマターの数は、1.418×1032×V12個です。2×107光年の軌道の速度がV２Kmの場合、その軌道のダークマターの数は、1.418×1032×V22個です。3×107光年の軌道の速度がV3Kmの場合、その軌道のダークマターの数は、1.418×1032×V32個です。4×107光年の軌道の速度がV4Kmの場合、その軌道のダークマターの数は、1.418×1032×V42個です。5×107光年の軌道の速度がV5Kmの場合、その軌道のダークマターの数は、1.418×1032×V52個です。6×107光年の軌道の速度がV6Kmの場合、その軌道のダークマターの数は、1.418×1032×V62個です。7×107光年の軌道の速度がV7Kmの場合、その軌道のダークマターの数は、1.418×1032×V72個です。
これからの宇宙は加速膨張宇宙になるでしょう。なぜなら、ダークマターは移動し続けるからです。
５．中心が1011太陽質量のブラックホールが作る泡宇宙の軌道エネルギーの式は、1.171×1026JKm÷軌道半径、です。
10−14m時代、銀河達の軌道は、3.006×1019Km(3.178×106光年)です。この銀河達の軌道の速度は、1.974×103Kmです。
この銀河達の軌道より外側の軌道においても、同じ速度であるとすると、外側の軌道には、5.526×1038個のダークマターが存在する。
６．中心が1010太陽質量のブラックホールが作る泡宇宙の軌道エネルギーの式は、2.524×1025JKm÷軌道半径、です。
10−14m時代、銀河達の軌道は、1.395×1019Km(1.475×106光年)です。この銀河達の軌道の速度は、1.345×103Kmです。
この銀河達の軌道より外側の軌道においても、同じ速度であるとすると、外側の軌道には、2.565×1038個のダークマターが存在する。
７．中心が109太陽質量のブラックホールが作る軌道エネルギーの式は、5.438×1024JKm÷軌道半径、です。
10−14m時代、銀河達の軌道は、6.477×1018Km(6.847×105光年)です。この銀河達の軌道の速度は、9.163×102Kmです。
この銀河達の軌道より外側の軌道においても、同じ速度であるとすると、外側の軌道には、1.191×1038個のダークマターが存在する。
【図面の簡単な説明】
【０００７】
【図１】図1宇宙の中心のブラックホールにより宇宙は回転し、遠心力を作る。ダークマターは質量があるので、遠心力により遠くに移動する。そのため宇宙の端の軌道は拡大する。宇宙の端の軌道にはダークマターがたくさん集まり、軌道エネルギーは大きくなり、速度は加速する。
【図２】図2は、宇宙の加速の方向とダークマターの移動の方向のスペクトルの合成図。
【図３】図3は、中央のブラックホールが作る、軌道エネルギー＝4.827×1027JKm÷軌道半径、の式で計算した、軌道の速度。軌道半径107光年の速度は7.144×103Km、軌道半径2×107光年の速度は5.052×103Km、軌道半径3×107光年の速度は4.124×103Km、軌道半径4×107光年の速度は3.572×103Km、軌道半径5×107光年の速度は1.010×103Kmです。これらの軌道の速度が同じ速度で、7.144×103Kmであるとすると、各軌道のダークマターの数は、7.238×1039個です。
【図４】図4は、軌道エネルギー＝4.827×1027JKm÷軌道半径、の式で計算した軌道の速度と、軌道の速度は一定で、VKmであるとすると、各軌道のダークマターの数は、1.418×1032×V2個です。5×107光年の軌道で加速膨張するならば、5×107光年の軌道のダークマターの数は、1.418×1032×V2個以上です。
【図５】図5は、軌道の速度が次第に大きくなる場合、107光年の軌道の速度がV1Kmの場合、その軌道のダークマターの数は、1.418×1032×V12個です。2×107光年の軌道の速度がV２Kmの場合、その軌道のダークマターの数は、1.418×1032×V22個です。3×107光年の軌道の速度がV3Kmの場合、その軌道のダークマターの数は、1.418×1032×V32個です。4×107光年の軌道の速度がV4Kmの場合、その軌道のダークマターの数は、1.418×1032×V42個です。5×107光年の軌道の速度がV5Kmの場合、その軌道のダークマターの数は、1.418×1032×V52個です。6×107光年の軌道の速度がV6Kmの場合、その軌道のダークマターの数は、1.418×1032×V62個です。7×107光年の軌道の速度がV7Kmの場合、その軌道のダークマターの数は、1.418×1032×V72個ですこれからの宇宙は加速膨張宇宙になるでしょう。なぜなら、ダークマターは移動し続けるからです。
【発明を実施するための形態】
【０００８】
１．    加速する事と膨張する事は別の事です。
加速すると速度が速くなるだけです。進んでいる方向へ向かって速度が速くなるだけです。
加速する事と膨張する事とは無関係である。
２．    どうして加速するのか。
宇宙の原子や元素のエネルギーは、4.3％で、95.7％はダークマターのエネルギーです。
それで、速度2＝軌道エネルギー、を支配しているのは、ダークマターです。
加速する事は、軌道エネルギーが増加することです。
ダークマター1個のエネルギーは同じですから、軌道エネルギーが増加することは、ダークマターが増加することです。
３．    どうしてダークマターは宇宙の端の軌道に移動するか。
宇宙の中心にはブラックホールが存在します。そのブラックホールを中心に宇宙は回転しています。
回転は遠心力を作ります。この遠心力によって、ダークマターは質量があるので、宇宙の端の方向に移動します。
そのことによって、ダークマターは宇宙の端の軌道に移動する。
４．    どうして、宇宙は進んでいる方向に垂直の方向へ向かって膨張(拡大)するか。
ダークマターが端の方向に移動する事によって、宇宙は進んでいる方向に垂直の方向へ向かって膨張(拡大)する。
ダークマターが端の方向に移動する事によって、“横膨張”はおきる。
５．    どうして加速すると膨張するのか。
宇宙の中心のブラックホールが宇宙を回転させることにより、遠心力が生まれる。それで、ダークマターは質量があるので、遠くの方へ移動する。このことによって2つの作用を行う。
１つは、ダークマターの増加により、軌道エネルギーが大きくなり、軌道の速度は速くなる。
１つは、ダークマターが遠心力により端の方向へ移動する事によって、宇宙は進んでいる方向に垂直の方向へ向かって膨張(拡大)する。“横膨張”は遠心力により起きる。
この2つの作用により、宇宙の端は加速し膨張する。
６．    中心にブラックホールが存在する場合、どのような場合でも、回転力と遠心力は働くので、端の加速と、横に拡大する横膨張はおきる。
中心にブラックホールが存在する場合、例えば、銀河や泡宇宙や宇宙において、回転力と遠心力は働くので、ダークマターの移動によって、端の加速と、横に拡大する“横膨張”はおきる。
７．    速度の方向と“横膨張”によって、何ができるか。
速度の方向と“横膨張”によってそのスペクトルの合成による力と方向ができる。
８．    どうして現在、宇宙は加速膨張しているのか。
10−16m時代、10−15m時代は、場の引力が大きかったので、ダークマターの移動は少なかった。
しかし、10−14m時代になると、場の引力が小さくなり、ダークマターは遠心力により、遠くに移動することができる。
このことにより、10−14m時代になり、宇宙は横に(宇宙が走っている方向に垂直の方向に)広がっている。
９．    宇宙の速度がどの軌道でも同じ速度であるとすると、宇宙の軌道にはどれくらいのダークマターが存在するか。
宇宙の軌道のエネルギーは、4.827×1027JKm÷距離。
・半径107光年の軌道の場合。
軌道のエネルギーのa倍のエネルギーが速度を作っているとする。
軌道のエネルギー＝4.827×1027JKm÷距離＝4.827×1027JKm÷(107×9.46×1012Km )＝5.103×107J。
軌道のダークマターの数＝5.103×107J×a÷(8.857×10−41J×7.96×107自転)＝5.103×107×a÷(7.050×10−33J)＝5.103×107×a×1.418×1032＝7.238×1039×a(個)
・半径2×107光年の軌道の場合。
軌道のエネルギーのｂ倍のエネルギーが速度を作っているとする。
軌道のエネルギー＝4.827×1027JKm÷距離＝4.827×1027JKm÷(2×107×9.46×1012Km )＝2.552×107J。
軌道のダークマターの数＝2.552×107J×ｂ÷(8.857×10−41J×7.96×107自転)＝2.552×107J×ｂ÷(7.050×10−33J)＝2.552×107J×ｂ1.071×107J×ｃ×1.418×1032＝3.619×1039×ｂ(個)
・半径3×107光年の軌道の場合。
軌道のエネルギーのｃ倍のエネルギーが速度を作っているとする。
軌道のエネルギー＝4.827×1027JKm÷距離＝4.827×1027JKm÷(3×107×9.46×1012Km )＝1.701×107J。
軌道のダークマターの数＝1.071×107J×ｃ÷(8.857×10−41J×7.96×107自転)＝1.701×107J×ｃ÷(7.050×10−33J)＝1.701×107J×ｃ×1.418×1032＝2.412×1039×ｃ(個)
・半径4×107光年の軌道の場合。
軌道のエネルギーのｄ倍のエネルギーが速度を作っているとする。
軌道のエネルギー＝4.827×1027JKm÷距離＝4.827×1027JKm÷(4×107×9.46×1012Km )＝1.276×107J。
軌道のダークマターの数＝1.276×107J×ｄ÷(8.857×10−41J×7.96×107自転)＝1.276×107J×ｄ÷(7.050×10−33J)＝1.276×107J×ｄ×1.418×1032＝1.810×1039×ｄ(個)
・半径5×107光年の軌道の場合。
軌道のエネルギーのe倍のエネルギーが速度を作っているとする。
軌道のエネルギー＝4.827×1027JKm÷距離＝4.827×1027JKm÷(5×107×9.46×1012Km )＝1.021×107J。
・軌道のダークマターの数＝1.021×107J×e÷(8.857×10−41J×7.96×107自転)＝1.021×107J×e÷(7.050×10−33J)＝1.021×107J×e×1.418×1032＝1.448×1039×e(個)
１０．    各軌道の速度が同じである場合、a,b,c,d,eの比はいくらか。
速度2＝5.103×107J×a＝2.552×107J×ｂ＝1.701×107J×ｃ＝1.276×107J×ｄ＝1.021×107J×e
a:b:c:d:e=1:2:3:4:5
１１．    例えば、速度=(5.103×107)1/2Km=7.144×103Km、である場合、各軌道のダークマター数はいくらか。
・10７光年の軌道のダークマターの数は、7.238×1039個です。
・2×107光年の軌道のダークマターの数は、3.619×1039個×2＝7.238×1039個です。
・3×107光年の軌道のダークマターの数は、2.412×1039個×3＝7.236×1039個です。
・4×107光年の軌道のダークマターの数は、1.810×1039個×4＝7.240×1039個です。
・5×107光年の軌道のダークマターの数は、1.448×1039個×5＝7.240×1039個です。
これらの１０−１４m時代の宇宙は円錐台のような形です。
このことを表に示す。
表1
2014121219.tif 000020
(但し、これは7×107回の自転でできる磁気の光子が1束に成り、ダークマター1個のエネルギーになっていると考える場合です)
１２．    宇宙の端の軌道が加速膨張をするためには、ダークマターの数はどれ位でなければならないか。
宇宙の端の軌道の半径が5×107光年であるとする。
107光年から4×107光年の間は等速で、速度がVKmであるとする。その場合、各軌道のダークマターの数は1.418×1032×V2個です。
それで、ダークマター数がこれ以上の場合、速度はVKm以上になる。
宇宙の端の軌道が加速膨張をするためには、ダークマターの数は1.418×1032×V2個以上でなければならない。
これらの宇宙の形は、現代の宇宙はラッパの口のような宇宙です。
１３．    宇宙の端の軌道の加速がV52Kmである場合、この軌道のダークマターの数はいくらか。
宇宙の端の軌道の加速がV52Kmであるから、その軌道のダークマターの数は1.418×1032×V52個です。
１４．    どうして宇宙の端の軌道が加速膨張をしているのか。
宇宙の中心のブラックホールを中心に回転している。ダークマターには質量がある。
それで、遠心力が働きダークマターは中心から遠くの方に移動する。
そのため、宇宙の大きい軌道のダークマターの数は小さい軌道のダークマターの数より多くなる。
よって、107光年の軌道のダークマターの数＜2×107光年の軌道のダークマターの数＜3×107光年の軌道のダークマターの数＜4×107光年の軌道のダークマターの数＜5×107光年の軌道のダークマターの数＜6×107光年の軌道のダークマターの数＜7×107光年の軌道のダークマターの、です。
速度は、107光年の軌道の速度＜2×107光年の軌道の速度＜3×107光年の軌道の速度＜4×107光年の軌道の速度＜5×107光年の軌道の速度＜6×107光年の軌道の速度＜7×107光年の軌道の速度、です。
107光年の軌道の速度をV1とし、2×107光年の軌道の速度をV2とし、3×107光年の軌道の速度をV3とし、4×107光年の軌道の速度をV4とし、5×107光年の軌道の速度をV5とし、6×107光年の軌道の速度をV6とし、7×107光年の軌道の速度をV7とする。
V1< V2< V3< V4< V5<
V6< V7、です。
107光年の軌道のダークマターの数は、1.418×1032×V12個です。
2×107光年の軌道のダークマターの数は、1.418×1032×V22個です。
3×107光年の軌道のダークマターの数は、1.418×1032×V32個です。
4×107光年の軌道のダークマターの数は、1.418×1032×V42個です。
5×107光年の軌道のダークマターの数は、1.418×1032×V52個です。
6×107光年の軌道のダークマターの数は、1.418×1032×V62個です。
7×107光年の軌道のダークマターの数は、1.418×1032×V72個です。
この宇宙の形は“横膨張の宇宙”です。
これからの宇宙は加速膨張宇宙になるでしょう。なぜなら、ダークマターは移動し続けるからです。
このことを表に示す。
表2
2014121219.tif 000021
１５．    泡宇宙の場合はどのようであるか。
私は、2012年6月13日に提出した、特願2012−133515、「宇宙の軌道エネルギーと泡状銀河集団の回転」に於いて、泡宇宙について次のように記した。
中心が1011太陽質量のブラックホールでできた泡状の銀河集団の軌道半径と軌道エネルギーと速度
表3
2014121219.tif 000022
中心が1010太陽質量のブラックホールでできた泡状の銀河集団の軌道半径と軌道エネルギーと速度
表4
2014121219.tif 000023
中心が109太陽質量のブラックホールでできた泡状の銀河集団の軌道半径と軌道エネルギーと速度
表５
2014121219.tif 000024
１６．    泡の中心が1011太陽質量のブラックホールの場合。
その軌道エネルギーは、1.171×1026JKm÷軌道半径、です。
10−16m時代、ジェットは半径、3.006×1017Kmに届き、その軌道にクエーサー達を作り、
10−15m時代、その軌道は、3.006×1018Kmになり、銀河達の軌道となり、
10−14m時代、その軌道は、3.006×1019Kmになり、銀河達の軌道になっている。
その銀河達の軌道のエネルギーは、3.896×106Jで、銀河達の速度は、1.974×103Kmです。
銀河達の軌道の外側の軌道においても同じ速度であるとすると、その軌道にはダークマターが存在します。
(アンドロメガ銀河の速度のように考える。)
どこまでも、速度が1.974×103Kmであるならば、軌道のダークマターの数はいくらか。
軌道のダークマターの数＝軌道のエネルギー÷7.96×107自転でできる磁気の光子のエネルギー＝V2J÷(8.857×10−41J×7.96×107自転)＝V2J÷(7.050×10−33J)＝1.418×1032×V2．この式より、
軌道のダークマターの数＝1.418×1032×(1.974×103)2＝1.418×1032×3.897×106＝5.526×1038(個)
どこまでも、速度が1.974×103Kmであるならば、軌道のダークマターの数は5.526×1038個です。
泡宇宙の端が加速膨張している場合、泡宇宙の端の軌道(銀河達の軌道)の速度がV11Kmであるとすると、ダークマターの数は、V112×1.418×1032個です。
１７．    泡の中心が1010太陽質量のブラックホールの場合。
その軌道エネルギーは、2.524×1025JKm÷軌道半径、です。
10−16m時代、ジェットは半径、1.395×1017Kmに届き、その軌道にクエーサー達を作り、
10−15m時代、その軌道は、1.395×1018Kmになり、銀河達の軌道となり、
10−14m時代、その軌道は、1.395×1019Kmになり、銀河達の軌道になっている。
その銀河達の軌道のエネルギーは、1.809×106Jで、銀河達の速度は、1.345×103Kmです。
銀河達の軌道の外側の軌道においても同じ速度であるとすると、その軌道にはダークマターが存在します。
(アンドロメガ銀河の速度のように考える。)
どこまでも、速度が1.345×103Kmであるならば、軌道のダークマターの数はいくらか。
軌道のダークマターの数＝1.418×1032×(1.345×103)2＝1.418×1032×1.809×106＝2.565×1038(個)
どこまでも、速度が1.345×103Kmであるならば、軌道のダークマターの数は2.565×1038個です。
泡宇宙の端が加速膨張している場合、泡宇宙の端の軌道(銀河達の軌道)の速度がV10Kmであるとすると、ダークマターの数は、V10Km 2×1.418×1032個です。
１８．    泡の中心が109太陽質量のブラックホールの場合。
その軌道エネルギーは、5.438×1024JKm÷軌道半径、です。
10−16m時代、ジェットは半径、6.477×1016Kmに届き、その軌道にクエーサー達を作り、
10−15m時代、その軌道は、6.477×1017Kmになり、銀河達の軌道となり、
10−14m時代、その軌道は、6.477×1018Kmになり、銀河達の軌道になっている。
その銀河達の軌道のエネルギーは、8.396×105Jで、銀河達の速度は、9.163×102Kmです。
銀河達の軌道の外側の軌道においても同じ速度であるとすると、その軌道にはダークマターが存在します。
(アンドロメガ銀河の速度のように考える。)
どこまでも、速度が9.163×102Kmであるならば、軌道のダークマターの数はいくらか。
軌道のダークマターの数＝1.418×1032×(9.163×102)2＝1.418×1032×8.396×105＝1.191×1038(個)
どこまでも、速度が9.163×102Kmであるならば、軌道のダークマターの数は1.191×1038個です。
泡宇宙の端が加速膨張している場合、泡宇宙の端の軌道(銀河達の軌道)の速度がV9Kmであるとすると、ダークマターの数は、V92×1.418×1032個です。
このことを表に示す。
表6
2014121219.tif 000025
(但し、これは7×107回の自転でできる磁気の光子が1束に成り、ダークマター1個のエネルギーになっていると考える場合です)
１９．    泡状に存在している銀河達(泡宇宙)が重なり合い、いびつな形をしているのは、どうしてか。
泡状に存在している銀河達(泡宇宙)が重なり合い、いびつな形をしているのは、引力によると考える
銀河達が作る磁気の光子のエネルギーと離れている距離が作る引力によると考える。
時代の場の磁気の光子のエネルギーと距離が作る引力によると考える。
10−16m時代の磁気の光子のエネルギー：10−15m時代の磁気の光子のエネルギー：10−14m時代の磁気の光子のエネルギー＝102：10：１
10−16m時代の距離：10−1５m時代の距離：10−1４m時代の距離＝1：10：102
よって、10−16m時代の引力：10−1５m時代の引力：10−1４m時代の引力＝104：102：1
泡状に存在している銀河達(泡宇宙)が重なり合い、いびつな形をしているのは、10−16m時代の引力：10−1５m時代の引力：10−1４m時代の引力＝104：102：1、であるから、過去においてできたものである。
【産業上の利用可能性】
【０００９】
ダークマターの性質を知ることにより、ダークマターの利用法を開発できるかもしれない。
【符号の説明】
【００１０】
1  宇宙の中心のブラックホール
2  遠心力
3  ダークマター
4  宇宙の端の軌道は拡大する
5  ダークマターがたくさん集まり、軌道エネルギーは大きくなり、速度は加速する
6  加速の方向
7  ダークマターの移動の方向
8  速度の方向と拡大の方向の合成図
9  軌道エネルギー＝4.827×1027JKm÷軌道半径、の式で計算した、軌道の速度
10  軌道半径107光年の速度は7.144×103Km    
11  軌道半径2×107光年の速度は5.052×103Km    
12  軌道半径3×107光年の速度は4.124×103Km    
13  軌道半径4×107光年の速度は3.572×103Km    
14  軌道半径5×107光年の速度は1.010×103Km    
15  全ての軌道の速度が7.144×103Kmの場合
16  各軌道のダークマターの数は、7.238×1039個    
17  軌道の速度は一定で、VKmの場合
18  各軌道のダークマターの数は、1.418×1032×V2個    
19  5×107Kmの軌道で加速するならば、5×107Kmの軌道のダークマターの数は、1.418×1032×V2個以上
20  軌道の速度が次第に大きくなる場合    
21  107光年の軌道の速度がV1Kmの場合、その軌道のダークマターの数は、1.418×1032×V12個
22  2×107光年の軌道の速度がV２Kmの場合、その軌道のダークマターの数は、1.418×1032×V22個  
23  3×107光年の軌道の速度がV3Kmの場合、その軌道のダークマターの数は、1.418×1032×V32個    
24  4×107光年の軌道の速度がV4Kmの場合、その軌道のダークマターの数は、1.418×1032×V42個    
25  5×107光年の軌道の速度がV5Kmの場合、その軌道のダークマターの数は、1.418×1032×V52個  
26  6×107光年の軌道の速度がV6Kmの場合、その軌道のダークマターの数は、1.418×1032×V62個
27  7×107光年の軌道の速度がV7Kmの場合、その軌道のダークマターの数は、1.418×1032×V72個    
28 
10-14m時代の一部で、点線は未来を示す。